(57)【特許請求の範囲】
【請求項１】
ケーブルヘッド容器を有するガス絶縁開閉装置において、前記ケーブルヘッド容器の枝管部と隣接容器の枝管部とがフランジ結合されることにより、前記ケーブルヘッド容器が前記枝管部によって前記隣接容器に支持され、前記隣接容器側の枝管部の内部には、金属製の仕切板が設けられ、この仕切板に絶縁スペーサが配設され、前記仕切板と絶縁スペーサにより前記ケーブルヘッド容器と隣接容器間がガス区分され、
前記絶縁スペーサと前記ケーブルヘッドとの間に線路用断路器を配置し、前記線路用断路器の固定接触子の先端が、前記隣接容器の前記枝管部のフランジの面より内側に配置されていることを特徴とするガス絶縁開閉装置。
【請求項２】
前記絶縁スペーサが支持する導体は、１直線状に配置された３相の導体である請求項１に記載のガス絶縁開閉装置。
【請求項３】
前記線路用断路器の固定接触子が前記絶縁スペーサに直接取り付けられた請求項１又は２に記載のガス絶縁開閉装置。
【請求項４】
前記３相の導体は、その一端が前記固定接触子に対向するように、前記ケーブルヘッド容器に固定された絶縁物により支持され、この導体の前記固定接触子側の端部に前記線路用断路器の可動側摺動接触子を配置し、この導体内に、導体の軸方向に移動する可動接触子を収納した請求項２又は３に記載のガス絶縁開閉装置。
【請求項５】
前記３相の導体の外径部に、前記線路用断路器の動作方向と直交する方向に動作する線路用接地開閉器の固定接触子を配設した請求項４に記載のガス絶縁開閉装置。
【請求項６】
前記３相の導体と前記ケーブルヘッドとが、可撓性のある導体により接続された請求項４に記載のガス絶縁開閉装置。
【請求項７】
前記３相の導体の、前記線路用断路器側と反対側の端部に、他の導体と接続するためのアダプタ導体を配設した請求項４に記載のガス絶縁開閉装置。
【発明の詳細な説明】
【０００１】
【発明の属する技術分野】
本発明は、ガス絶縁開閉装置（以下、「ＧＩＳ」という。）に関し、特に、ケーブルヘッド容器を有するＧＩＳに関する。
【０００２】
【従来の技術】
図１を用いて、従来のＧＩＳについて説明する。図１は、従来のＧＩＳの側面断面図である。
ＧＩＳは、母線容器１、遮断器容器２、ケーブルヘッド容器３、避雷器容器４、計器用変圧器容器５から構成される。各容器１〜５間は、絶縁スペーサ６，７，８，９により仕切られて、各容器１〜５は、独立した絶縁ガス（ＳＦ６ガス）空間を構成する。各容器１〜５は、それぞれ、母線ＢＵＳ、遮断器ＧＣＢ、ケーブルヘッドＣＨＤ、計器用変圧器ＬＰＴ、避雷器ＬＡ、線路用断路器ＤＳ、線路用接地開閉器ＥＳを収納する。
【０００３】
ケーブルヘッド容器３の内部において、ケーブルヘッドＣＨＤと隣接のユニットとの間の接続は、３つの導体１１，１２，１３により行われる。ケーブルヘッドＣＨＤは、第１の導体１１と接続され、第１の導体１１が隣接する避雷器容器４内の避雷器ＬＡと、絶縁スペーサ８を介して接続される。第２の導体１２が、第１の導体１１と接続され、隣接する計器用変圧器容器５内の計器用変圧器ＬＰＴと接続される。
【０００４】
また、第２の導体１２には、線路用断路器ＤＳの摺動接触子と、線路用接地開閉器ＥＳの固定接触子が取付けられる。第３の導体１３が絶縁スペーサ７に取り付けられ、これに線路用断路器ＤＳの固定接触子が設けられる。これにより、ケーブルヘッドＣＨＤは、線路用断路器ＤＳを介して、第３の導体１３により隣接する遮断器容器２内の遮断器ＧＣＢと接続される。
【０００５】
【発明が解決しようとする課題】
上記のように、従来のＧＩＳにおいては、３つの導体１１〜１３と線路用断路器ＤＳ、線路用接地開閉器ＥＳを配置するため、その他の機器を収納するスペースがなく、避雷器ＬＡと計器用変圧器ＬＰＴを収納するために２つの容器４，５が必要である。また、ケーブルヘッド容器３は重量が大きいため、ケーブルヘッド容器３を支持するための架台１４が必要であった。
【０００６】
本発明は、ＧＩＳにおいて、ケーブルヘッド容器内の機器の配置を合理化し、かつ、容器の構造を改良することにより、ＧＩＳを小型、軽量化することを目的とするものである。
【０００７】
【課題を解決するための手段】
本発明は、上記目的を達成するためになされたものである。本発明のＧＩＳは、ケーブルヘッド容器の枝管部と隣接容器の枝管部とがフランジ結合されることにより、前記ケーブルヘッド容器が前記枝管部によって前記隣接容器に支持される。隣接容器側の枝管部の内部には、金属製の仕切板が設けられ、この仕切板に絶縁スペーサが配設され、前記仕切板と絶縁スペーサにより前記ケーブルヘッド容器と隣接容器間がガス区分される。
【０００８】
本発明によれば、ケーブルヘッド容器は、隣接容器と、絶縁スペーサを介さずに、枝管部のフランジにより直接結合される。また、枝管部は、内部に設けられた仕切板により機械的に補強される。したがって、ケーブルヘッド容器を、枝管部を介して隣接容器だけで支持し、架台を省略することができる。
また、本発明においては、上記構成のケーブルヘッド容器内における３相の導体を、容器に固定した絶縁物により１直線状に支持することにより、ケーブルヘッド容器内における機器の配置を合理化する。これにより、ケーブルヘッド容器内に、避雷器、計器用変圧器などを収納できるようにする。
【０００９】
さらに、線路用断路器の固定接触子を絶縁スペーサに固定し、可動接触子を導体内に収納することにより、ケーブルヘッド容器内の機器の配置を合理化する。
【００１０】
【発明の実施の形態】
本発明の実施形態について図を用いて説明する。
図２は、本発明を適用したＧＩＳの側面断面図、図３は、その要部の拡大図である。
ＧＩＳは、母線容器２１、遮断器容器２２、ケーブルヘッド容器２３から構成される。母線容器２１は、絶縁スペーサ２５を介して、遮断器容器２２の枝管に結合される。母線容器２１と遮断器容器２２の間は、絶縁スペーサ２５によりガス区分される。
【００１１】
ケーブルヘッド容器２３は、枝管５１，５２により遮断器容器２２に結合される。遮断器容器２２とケーブルヘッド容器２３の間は、仕切板５５とこの仕切板に取り付けられた絶縁スペーサ２６によりガス区分される。なお、これらの構成の詳細については、後で図３を用いて説明する。
各容器２１〜２３は、それぞれが独立して、絶縁ガス（ＳＦ６ガス）が充填された空間を構成する。
【００１２】
母線容器２１は、内部に母線ＢＵＳと線路用断路器ＤＳを収納する。遮断器容器２２は、内部に遮断器ＧＣＢと線路用接地開閉器ＥＳを収納する。ケーブルヘッド容器２３は、内部にケーブルヘッドＣＨＤと避雷器ＬＡと計器用変圧器ＬＰＴと線路用断路器ＤＳと線路用接地開閉器ＥＳを収納する。これらの各機器の接続方法は公知のことであるので、ここでの詳細な説明は省略する。
【００１３】
ケーブルヘッド容器２３内において、ケーブルヘッドＣＨＤは、容器２３の下部に取り付けられる。ケーブル２８が、ケーブルヘッド容器２３の下部から、ケーブルヘッドＣＨＤ内に挿入される。避雷器ＬＡと計器用変圧器ＬＰＴは、上蓋２９に取り付けられる。
図３に、ケーブルヘッド用導体及びその周辺を拡大した図を示す。
【００１４】
遮断器容器２２とケーブルヘッド容器２３は、それぞれの枝管５１、５２の端部に形成されたフランジ５３，５４により直接結合される。遮断器容器２２の枝管５１内部に仕切板５５が設けられ、この仕切板５５に絶縁スペーサ２６が配設される。遮断器容器２２とケーブルヘッド容器２３は、絶縁スペーサ２６により仕切られる。
【００１５】
遮断器容器２２とケーブルヘッド容器２３は、金属製の枝管５１，５２とフランジ５３，５４により直接結合されて、図１の従来例のように絶縁スペーサが介在しない。また、枝管５１は内部に配設された仕切板５５により補強がされる。このため、ケーブルヘッド容器２３は、枝管５１，５２により遮断器容器２２に支持することができる。このため、図１の従来例のようなケーブルヘッド容器３を支持する架台１４が不要となる。
【００１６】
ケーブルヘッド用導体３１は、ケーブルヘッドＣＨＤの上方に水平方向に１直線に並べて配置される。このように、３相分の導体を水平方向に並べることにより、従来の３角配置に比べて、高さ方向の寸法を低減することができる。
導体３１の一端（図の左端）が、支持具３２により枝管５２のフランジ５４に固定される。枝管５２とフランジ５４は機械的加工により形成できるので、寸法精度を高くすることができる。したがって、ここに配置する導体３１の取付けも正確な位置関係とすることができる。
【００１７】
導体３１の中間部分が、フレキシビリティのある接続導体３３を介してケーブルヘッドＣＨＤとボルト（図示なし）により固定される。ケーブルヘッドＣＨＤ本体の寸法のバラツキは、接続導体３３の可撓性と、導体３１のボルト孔とボルトとの間のガタツキにより吸収される。
避雷器ＬＡの下端に圧接形接触子３４が設けられ、これにより導体３１と接続する。計器用変圧器ＬＰＴは、可撓性のある導体３５により避雷器ＬＡと接続される。圧接形接触子３４は、外側に向けて付勢された可動接触子を有し、避雷器ＬＡが図示の位置にあるときは、圧接形接触子３４が導体３１と接触して、避雷器ＬＡと計器用変圧器ＬＰＴが導体３１と接触する。
【００１８】
したがって、ケーブルヘッド容器２３の上蓋２９を取り外すと、上蓋２９に取り付けられた避雷器ＬＡと計器用変圧器ＬＰＴは、図示上方へ移動し、圧接形接触子３４が導体３１から離れる。これにより、上蓋２９の取付け又は取り外しをするだけで、避雷器ＬＡと計器用変圧器ＬＰＴの取付け又は取り外しと、導体３１との接続又は取り外しが行われる。
【００１９】
このように、従来３つの導体（図１の１１，１２，１３）が必要であったケーブルヘッド用導体を１つの導体３１にまとめたことにより、導体数を減らして、低コスト化、小型化、軽量化が実現できる。また、避雷器ＬＡと計器用変圧器ＬＰＴをケーブルヘッド容器２３内に収納することができ、ＧＩＳの容器の数を低減することができる。さらに、ケーブルヘッドＣＨＤと避雷器ＬＡと計器用変圧器ＬＰＴを１つの容器２３内に配置することにより、ＧＩＳにおける電路長が短くなり、電流通電時の導体の発熱量が少なくなり、装置としての性能が向上する。
【００２０】
導体３１の一端側（図の左端）と、ケーブルヘッドＣＨＤと遮断器ＧＣＢとの間に線路用断路器ＤＳが配置される。線路用断路器ＤＳの摺動接触子３６が導体３１の一端に取付けられる。摺動接触子３６に対向して、絶縁スペーサ２５の貫通導体３７に、線路用断路器ＤＳの固定接触子３８が設けられる。固定接触子３８は、その先端位置が、フランジ５３より内側となるように配置される。これにより、ケーブルヘッド容器２３を吊り上げる際、フランジ５４が固定接触子３８に干渉することがない。
【００２１】
導体３１は中空状に形成され、その内部に線路用断路器ＤＳの可動接触子３９が配置される。可動接触子３９は、末端（図示右側）がレバー４１と回転可能に結合され、レバー４１は回転軸４２に固定される。回転軸４２が外部から回転操作されることにより、可動接触子３９が、図示左右方向へ駆動される。可動接触子３９は、常に摺動接触子３６と接触し、最も導体３１から突出した状態（図示の状態）で、その先端が固定接触子３８と接触する。
【００２２】
これにより、線路用断路器ＤＳがオンとなる。また、最も導体３１内に引っ込んだ状態で、固定接触子３８から開離する。これにより線路用断路器ＤＳがオフとなる。
導体３１の、ケーブルヘッドＣＨＤと線路用断路器ＤＳとの中間位置に、線路用接地開閉器ＥＳが設けられる。導体３１の下方に線路用接地開閉器ＥＳの固定接触子４３が取り付けられ、その下方に線路用接地開閉器ＥＳの可動接触子４４、摺動接触子４５及びその駆動機構４６が配置される。このように、線路用断路器ＤＳ及び線路用接地開閉器ＥＳがケーブルヘッドＣＨＤの横に配置されることにより、線路用断路器ＤＳ及び線路用接地開閉器ＥＳの動作時に発生するゴミなどが、図１の従来例のようにケーブルヘッドＣＨＤ本体に付着することがなくなる。したがって、ＧＩＳの絶縁性能が低下することがない。
【００２３】
図４及び図５に、アダプタ導体４７の利用形態を示す。
導体３１の他端（図の右端）には、隣接するユニットと接続するためのアダプタ導体４７が設けられる。このアダプタ導体４７を利用して、図４に示すように、移動用ケーブルヘッド５６を接続することができる。
また、図５に示すように、アダプタ導体４７を利用してケーブルヘッドＣＨＤを２条設置することができる。この場合、ケーブルヘッド容器２３に隣接して更に第２のケーブルヘッド容器５７を設置し、アダプタ導体４７を利用して、第２のケーブルヘッド容器５７内のケーブルヘッドＣＨＤと接続する。
【００２４】
【発明の効果】
本発明によれば、ＧＩＳにおいて、ケーブルヘッド容器内の機器の配置を合理化し、かつ、容器の構造を改良することにより、ＧＩＳを小型、軽量化することができる。
【図面の簡単な説明】
【図１】従来のＧＩＳの側面断面図。
【図２】本発明の導体を適用したＧＩＳの側面断面図。
【図３】図２のＧＩＳの要部を拡大して示す図。
【図４】図３のアダプタ導体の第１の利用形態を示す図。
【図５】図３のアダプタ導体の第２の利用形態を示す図。
【符号の説明】
１…母線容器
２…遮断器容器
３…ケーブルヘッド容器
４…避雷器容器
５…計器用変圧器容器
６，７，８，９…絶縁スペーサ
１１，１２，１３…導体
１４…架台
２１…母線容器
２２…遮断器容器
２３…ケーブルヘッド容器
２５，２６…絶縁スペーサ
２８…ケーブル
２９…上蓋
３１…ケーブルヘッド用導体
３２…支持具
３３…可撓性のある導体
３４…圧接形接触子
３５…可撓性のある導体
３６…線路用断路器の摺動接触子
３７…絶縁スペーサの導体
３８…線路用断路器の固定接触子
３９…線路用断路器の可動接触子
４１…レバー
４２…回転軸
４３…線路用接地開閉器の固定接触子
４４…線路用接地開閉器の可動接触子
４５…線路用接地開閉器の摺動接触子
４６…線路用接地開閉器の駆動機構
４７…アダプタ導体
５１，５２…枝管
５３，５４…フランジ
５５…仕切板
５６…移動用ケーブルヘッド
５７…第２のケーブルヘッド容器
ＤＳ…線路用断路器
ＥＳ…線路用接地開閉器
ＣＨＤ…ケーブルヘッド
ＢＵＳ…母線
ＧＣＢ…ガス遮断器
ＬＡ…避雷器
ＬＰＴ…計器用変圧器
【図１】
0004207280.tif 000002
【図２】
0004207280.tif 000003
【図３】
0004207280.tif 000004
【図４】
0004207280.tif 000005
【図５】
0004207280.tif 000006